(57)【要約】      （修正有）【課題】既存の住宅において床暖房構造となす場合において、これを容易に且つ低コストで施工することができる床暖房構造を提供する。【解決手段】平行する太い温水の供給側パイプ６と戻り側パイプとの間に、肉厚が薄く且つ細い温水パイプ８、８、８・・・を狭い間隔で多数平行して取り付けて面状パイプユニット５となす。該面状パイプユニット５の上面全体を肉厚の薄い均熱板９で覆う。既存の住宅における床材１の下部の根太２と根太２との間に、前記面状パイプユニット５と均熱板９を配設する。更に前記面状パイプユニット５の下面を断熱材１０で覆う。【選択図】図１
0003147717.tif 000002
【実用新案登録請求の範囲】
【請求項１】
既存の住宅における床材の下部の根太と根太との間に、平行する太い温水の供給側パイプと戻り側パイプとの間に、肉厚が薄く且つ細い温水パイプを狭い間隔で多数平行して取り付けてなる面状パイプユニットと、該面状パイプユニットの上面全体を覆う肉厚の薄い均熱板とを配設し、更に前記面状パイプユニットの下面を断熱材で覆ってなる床暖房構造。
【考案の詳細な説明】
【技術分野】
【０００１】
本考案は、既存の住宅において床暖房構造となす場合に、これを容易に且つ低コストで施工することができるようになした床暖房構造に関するものである。
【背景技術】
【０００２】
既存の住宅において床暖房構造となす場合、従来における施工順序は、先ず床材を解体して撤去し、次に根太上の通常捨て板と称される合板の上面に断熱材を介して温水パイプを敷設し、次に該温水パイプの上面に金属パネルからなる均熱板を載せることによって行うものである。
【考案の開示】
【考案が解決しようとする課題】
【０００３】
従来の床暖房構造は、根太上の合板の上面に、その全体にわたって断熱材を介して温水パイプを敷設し、該温水パイプの上面に金属パネルからなる均熱板を載せ、最後に該均熱板の上面に床材を敷設する構造であり、施工するためには上記の如く先ず床材を解体して撤去しなければならなかった。
【０００４】
しかし、この床材の解体、撤去は大掛かりな作業であり、多大な手間と時間を要する。そしてまた、これにより施工に要する工期が長くなる。また、床材を解体、撤去するためには家具を移動し、別の部屋に保管しなければならず、このための手間と日常生活における不便、負担を伴うことになる。
【０００５】
また、長尺の温水パイプを床材の下面全体に張り巡らせるものであるが、該温水パイプは、図４に示す如く、蛇行状に配しており、該温水パイプ１００の平行する部分の間隔Ｌは相当に広く且つまた温水パイプ１００自体の肉厚が相当な厚味である。尚、１０１は温水パイプ１００の上面に載せる均熱板である。
【０００６】
そして、上記の如く温水パイプ１００の平行する部分の間隔Ｌが相当に広いために伝熱面積が小さく、もって熱交換効率が悪いという問題点がある。即ち、一定面積あたりのパイプの表面積の合計が伝熱面積であるが、従来の場合においては温水パイプ１００の平行する部分の間隔Ｌが相当に広いために伝熱面積が小さく、もって熱交換効率が悪く、昇温スピードが鈍かった。
【０００７】
また、温水パイプ１００自体の肉厚が相当な厚味であることから、熱抵抗が大きく、これも熱交換効率を悪くする原因となっている。
【０００８】
そしてまた、上記のことから、従来においては温水パイプ中に流す温水として相当に高温の温水を必要とし、このため多大な燃料費が必要となる。また、高温で加熱するために床材が熱により変形し、反ったり割れが生じる等の問題が生じる。
【０００９】
本考案は上記の点に鑑みなされたものであって、既存の住宅において床暖房構造となす場合において、床材を解体、撤去することなく、そのままの状態において施工することができ、また熱交換効率を良くして４０℃前後の低温水でも充分な床暖房を行うことができ、もって燃料費を大幅に軽減することができると共に熱による床材の変形を防ぐこともできるようになした床暖房構造を提供しようとするものである。
【課題を解決するための手段】
【００１０】
而して、本考案の要旨とするところは、既存の住宅における床材の下部の根太と根太との間に、平行する太い温水の供給側パイプと戻り側パイプとの間に、肉厚が薄く且つ細い温水パイプを狭い間隔で多数平行して取り付けてなる面状パイプユニットと、該面状パイプユニットの上面全体を覆う肉厚の薄い均熱板とを配設し、更に前記面状パイプユニットの下面を断熱材で覆ってなる床暖房構造にある。
【考案の効果】
【００１１】
本考案は上記の如き構成であり、放熱用の面状パイプユニット及び均熱板は床材の下部の根太と根太との間に配設するものであるから、既存の住宅において床暖房構造となす場合において、床材を解体、撤去することなく、そのままの状態において施工することがきるものである。したがって、従来の如き床材の解体、撤去に要する多大な手間と時間を省くことができると共に工期も大幅に短縮することができるものである。また、従来の如き家具を移動し、別の部屋に保管することに伴う日常生活の不便、負担も全くないものである。
【００１２】
また、放熱用の面状パイプユニットは、太い温水の供給側パイプと戻り側パイプとの間に取り付ける温水パイプを、肉厚を薄くし且つ細くし、そしてこれを狭い間隔で多数平行して取り付けてなるものであるから、伝熱面積が大きく且つ各パイプの熱抵抗が小さい。したがって、従来のものに比してはるかに熱交換効率が良い。そしてまた、これに伴い４０℃前後の低温水でも充分な床暖房を行うことができ、燃料費を大幅に軽減することができると共に、熱による床材の変形を防ぐこともできるものである。
【考案を実施するための最良の形態】
【００１３】
以下、本考案に係る床暖房構造を実施するための最良の形態について、図面を参照して説明する。
【００１４】
図１は本考案に係る床暖房構造の実施形態を示す断面図、図２は本考案において用いる構成部材の一部省略して示した斜視図、図３は面状パイプユニットの作用説明図である。
【００１５】
図中、１は既存の住宅における床材、２、２、２・・・は根太、３は前記根太２、２、２・・・の上に配設した合板、４は大引であり、これらは既存のままである。
【００１６】
そして、前記床材１の下部の根太２と根太２との間に、平行する太い温水の供給側パイプ６と戻り側パイプ７との間に、肉厚が薄く且つ細い温水パイプ８、８、８・・・を狭い間隔で多数平行して取り付けてなる面状パイプユニット５と、該面状パイプユニット５の上面全体を覆う肉厚の薄い均熱板９とを配設し、更に前記面状パイプユニット５の下面を断熱材１０で覆ってなるものである。
【００１７】
また、前記温水の供給側パイプ６と戻り側パイプ７、並びに温水パイプ８、８、８・・・は樹脂又は金属製であり、また均熱板９はアルミニウム箔、断熱材１０は発泡ポリスチレン又は発泡ポリウレタンで製作されている。
【００１８】
また、前記断熱材１０は、その上面に根太２、２に沿って所要の深さの溝１０ａ、１０ａを設けてある。該溝１０ａ、１０ａによって弾性をもたせ、断熱材１０を根太２、２間に圧入するときに、上面側が内側に窄められていることにより容易に行い易くしている。また、該断熱材１０は、その下面を、根太２、２間に架設した帯状の保持板１１によって支え、脱落を防止している。また、１２は保持板１１の固定用釘である。尚、これは釘に限らず適宜の止め具を用いればよい。
【００１９】
次に、本実施形態の作用について説明する。
放熱用の面状パイプユニット５及び均熱板９は、床材１の下部の根太２と根太２との間に配設するものであるから、既存の床材１を解体、撤去することなく、そのままの状態において施工することができるものである。したがって、従来の如き床材の解体、撤去に要する多大な手間と時間を省くことができると共に工期も大幅に短縮することができるものである。また、従来の如き家具を移動し、別の部屋に保管することに伴う日常生活の不便、負担も全くないものである。
【００２０】
また、放熱用の面状パイプユニット５は、図３に示す如く、温水の供給側パイプ６から温水を供給し、各温水パイプ８、８、８・・・を通過した温水を戻り側パイプ７から戻して循環させるものである。そして、太い温水の供給側パイプ６と戻り側パイプ７との間に取り付ける温水パイプ８、８、８・・・を、肉厚を薄くし且つ細くし、そしてこれを狭い間隔で多数平行して取り付けてなるものであるから、伝熱面積が大きく且つ各パイプの熱抵抗が小さい。したがって、従来のものに比してはるかに熱交換効率が良い。そしてまた、これに伴い４０℃前後の低温水でも充分な床暖房を行うことができ、燃料費を大幅に軽減することができると共に、熱による床材の変形を防ぐこともできるものである。
【図面の簡単な説明】
【００２１】
【図１】本考案に係る床暖房構造の実施形態を示す断面図である。
【図２】本考案において用いる構成部材の一部省略して示した斜視図である。
【図３】面状パイプユニットの作用説明図である。
【図４】従来の床暖房構造における温水パイプの説明図である。
【符号の説明】
【００２２】
１  床材
２、２  根太
５  面状パイプユニット
６  温水の供給側パイプ
７  温水の戻り側パイプ
８、８、８・・・  温水パイプ
９  均熱板
１０  断熱材
【図１】
0003147717.tif 000003
【図２】
0003147717.tif 000004
【図３】
0003147717.tif 000005
【図４】
0003147717.tif 000006